(57)【要約】【課題】配信前のコンテンツについてのユーザの嗜好傾向を正確に把握することができるようにする。【解決手段】配信信号受信部１１によるコンテンツの受信予約を入力する予約入力部１３と、この予約入力部１３によって入力された受信予約に基づいて配信信号の受信を行なう受信実行部２１と、予約入力部１３による受信予約の入力後に受信予約に関する情報を予約情報として送信する送信部２３とをそなえた端末装置１０と、端末装置１０から送信された予約情報を受信する受信部３３と、予約情報を集計してコンテンツに関する嗜好情報を生成する嗜好情報生成部３４とをそなえた管理装置３０とをそなえて構成する。【選択図】図１
2009218881.tif 000002
【特許請求の範囲】
【請求項１】
コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信予約の入力後に該受信予約に関する情報を予約情報として送信する送信部とをそなえた端末装置と、
該端末装置と通信回線を介して通信可能に接続され、該端末装置から送信された該予約情報を受信する受信部と、当該予約情報を集計して該コンテンツに関する嗜好情報を生成する嗜好情報生成部とをそなえた管理装置とをそなえることを特徴とする、嗜好情報管理システム。
【請求項２】
該端末装置が、
当該端末装置の所有者に関する個人情報を格納する個人情報格納部をそなえ、
該送信部が、該予約情報とともに該個人情報を送信することを特徴とする、請求項１記載の嗜好情報管理システム。
【請求項３】
該端末装置が、
該個人情報の送信を許可する送信許可の有無を確認する確認部をそなえ、
該送信部が、該確認部により該個人情報の送信許可があることが確認された場合に、該個人情報を送信することを特徴とする、請求項２記載の嗜好情報管理システム。
【請求項４】
該端末装置が、
該予約入力部によって入力された該受信予約の解除指示を入力可能な解除指示入力部をそなえ、
該送信部が、該解除指示入力部により該解除指示が入力された際に、該管理装置に対して、該解除指示が入力されたことを通知する解除指示通知情報を該管理装置に対して送信し、
該管理装置において、
該嗜好情報生成部が、該予約解除情報に基づいて該嗜好情報を生成することを特徴とする、請求項１〜請求項３のいずれか１項に記載の嗜好情報管理システム。
【請求項５】
コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信予約の入力後に該受信予約に関する情報を予約情報として送信する送信部とをそなえることを特徴とする、端末装置。
【発明の詳細な説明】
【技術分野】
【０００１】
本発明は、番組等のコンテンツに関する嗜好情報の収集に用いて好適な技術に関する。
【背景技術】
【０００２】
従来、ＴＶ業界においては、番組の視聴率をリサーチし、番組の評価を受けてスポンサー等が付くようになっている。スポンサーは、高額の制作費用を払い、１５秒や３０秒のスポットＣＭを流すのであるが、このＣＭをいかにユーザニーズに合わせて流すか、その予測が難しい。
従って、ユーザニーズを把握することが重要とされ、ユーザの番組視聴の傾向を正確に把握することが望まれている。
【０００３】
例えば、下記特許文献１は、携帯端末において視聴したコンテンツの視聴状況情報を生成する手法に関する技術であって、携帯端末において、視聴したテレビ放送についての視聴状況情報を生成し、この視聴状況情報をサーバに送信する手法が開示されている。
また、下記特許文献２には、テレビ付き携帯電話において視聴状況が変化するたびに視聴情報を視聴率情報センターに送信することにより、正確でリアルタイムな視聴率情報を収集する手法が開示されている。
【特許文献１】特開２００５−１７６０６７号公報
【特許文献２】特開２００６−１８０１２５号公報
【発明の開示】
【発明が解決しようとする課題】
【０００４】
しかしながら、従来の視聴率情報の取得手法においては、視聴者が実際に視聴している（もしくは、視聴した）番組についての視聴率情報しか収集することができず、放送前の番組についてはユーザの視聴の傾向を取得することができないという課題がある。
本発明は、このような課題に鑑み創案されたもので、配信前のコンテンツについてのユーザの嗜好傾向を正確に把握することができるようにすることを目的とする。
【課題を解決するための手段】
【０００５】
このため、この嗜好管理システムは、コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信予約の入力後に該受信予約に関する情報を予約情報として送信する送信部とをそなえた端末装置と、該端末装置と通信回線を介して通信可能に接続され、該端末装置から送信された該予約情報を受信する受信部と、当該予約情報を集計して該コンテンツに関する嗜好情報を生成する嗜好情報生成部とをそなえた管理装置とをそなえることを特徴としている。
【０００６】
また、この端末装置は、コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信予約の入力後に該受信予約に関する情報を予約情報として送信する送信部とをそなえることを特徴としている。
【発明の効果】
【０００７】
開示のシステムもしくは装置によれば、以下の少なくともいずれか１つの効果ないし利点が得られる。
（１）視聴者の嗜好を分析するために用いる情報を容易に収集することができる。
（２）コンテンツの配信が開始される前に、視聴者の嗜好情報を収集することができる。
【０００８】
（３）コンテンツの配信が行なわれる前に、視聴者の嗜好情報を予測分析することにより、顧客ニーズに合ったコンテンツやＣＭを効率的に作成・提供することができる。
【発明を実施するための最良の形態】
【０００９】
以下、図面を参照して本発明の実施の形態を説明する。
（Ａ）第１実施形態の説明
図１は本発明の第１実施形態としての嗜好管理システムの構成を模式的に示す図である。
本第１実施形態の嗜好管理システム１００は、放送装置（コンテンツ配信部）５０から配信されるテレビ番組（番組；コンテンツ）についての、視聴者（コンテンツ受信者）の嗜好情報を収集・管理するものであり、管理サーバ３０と複数の端末装置１０とをそなえて構成されている。
【００１０】
放送装置５０は、例えば、テレビ局等によって管理され、テレビ番組の放送信号（配信信号）を配信するものである。
また、放送装置５０は、番組が同一であって、挿入されるＣＭ（広告情報）が異なる、すなわち、スポンサーが異なる複数種類の放送信号を送信することができるようになっている。
【００１１】
端末装置１０は、視聴者がテレビ番組の受信・視聴に用いる装置であって、放送装置５０から配信されるテレビ放送信号（配信信号；以下、放送信号という場合がある）を受信し、テレビ番組の再生（ディスプレイ１２への表示）や録画を行なうことができるようになっている。又、この端末装置１０は、視聴者が予め設定した時刻（予約時刻）にテレビ番組を受信して録画を行なう予約録画機能や、予約時刻にテレビ番組を受信してディスプレイ１２に表示させる予約視聴機能をそなえている。
【００１２】
なお、以下、端末装置１０において、テレビ番組を受信し再生したり録画を行なったりすることを、単に受信ジョブという場合があり、同様に、これらの受信ジョブを予約して行なうこと（予約録画，予約視聴）を、予約ジョブという場合がある。
また、この端末装置１０は、視聴者の家屋等に設置される備え付け型の装置であってもよく、又、視聴者が携行可能な携帯型の装置（携帯電話機や携帯型情報処理装置，ＰＤＡ等）であってもよい。本実施形態においては、端末装置１０が、テレビ番組の再生・録画機能をそなえた携帯電話機として構成された例について説明する。
【００１３】
なお、以下、端末装置１０における携帯電話機としての機能は、既知の種々の手法によって実現されるものであり、その説明を省略する。
端末装置１０は、図１に示すように、チューナ（配信信号受信部）１１，ディスプレイ１２，スピーカ１４，マイク１５，キーボード１３，インタフェース（Ｉ／Ｆ）１６，無線通信部１７，ＣＰＵ（Central Processing Unit）２０，記憶部１８，ＲＡＭ（Random Access Memory）８，ＲＯＭ（Read Only Memory）９およびアンテナ１１１，１１２をそなえて構成されている。
【００１４】
チューナ１１は、放送装置５０から配信される放送信号を受信・選局し、音声・映像信号を取得するものである。このチューナ１１には、図１に示すように、アンテナ１１１が接続されており、チューナ１１は、このアンテナ１１１を介して、テレビ放送信号の受信を行なうようになっている。
例えば、チューナ１１として、ワンセグ（1seg；携帯電話・移動体端末向けの1セグメント部分受信サービス）により放送信号を受信する、いわゆるワンセグチューナにより実現することができる。
【００１５】
また、このチューナ１１は、上述の如きテレビ番組にかかる放送信号のみならず、放送装置５０が放送信号とともに配信するＥＰＧ（Electronic Program Guide：電子番組ガイド）等のＳＩ（Service Information）も受信してもよい。
さらに、チューナ１１は、放送信号の受信に際して、放送装置５０から、番組が同一であって、スポンサーが異なる、すなわち、挿入されるＣＭ（広告情報）が異なる複数種類の放送信号が配信されている場合には、これらの複数種類の放送信号のうち、後述するキー入力部（スポンサー選択部）１３によって選択されたスポンサーにかかる放送信号を選択的に受信することができるようになっている。
【００１６】
すなわち、チューナ１１は、キー入力部１３によって選択されたスポンサーに関するＣＭを選択的に受信することができるようになっており、受信する番組にかかるスポンサーを選択可能なスポンサー選択部として機能するようになっている。
なお、このスポンサーに応じて受信する放送信号を選択する手法は、例えば、放送装置５０から配信する放送信号において、その番組のスポンサーの識別情報が含まれている放送信号を選択的に受信することにより行なうことができる。
【００１７】
ディスプレイ１２は、表示制御部（図示省略）による表示制御に基づいて種々の情報を表示可能な表示装置であって、チューナ１１によって生成されたテレビ番組の映像データや後述する録画データ１８３を再生した映像データが表示される他、視聴者に対して提示される種々の情報やメッセージが表示されるようになっている。
また、このディスプレイ１２には、後述する、予約入力画面や予約解除入力画面，個人情報送信確認設定画面，スポンサー選択画面等が表示されるようになっており、表示部として機能するようになっている。
【００１８】
スピーカ１４は、音声を出力する出力装置であり、図示しないオーディオコントローラによって制御され、チューナ１１によって生成されたテレビ番組の音声（音声データ）や後述する録画データ１８３の音声等を出力するものである。又、この端末装置１０が携帯電話機として機能するに際して、スピーカ１４は通話時の音声や呼び出し音等を出力するようになっている。なお、これらの通話時の音声や呼び出し音等の出力については、これらの機能を実現するスピーカを別途そなえてもよく、本発明の趣旨を逸脱しない範囲で種々変形して実施することができる。
【００１９】
マイク１５は、音声を入力するための入力装置であり、例えば、この端末装置１０が携帯電話機として機能するに際して、通話時の音声入力に用いられるようになっている。
キー入力部１３は、種々の情報を入力するための入力装置であり、例えば、数字を入力するための数字キーやディスプレイ１２上に表示されるポインタ（図示省略）等を移動させるための移動キーや選択キーをそなえて構成されている。
【００２０】
なお、上述した数字キーが英文字やかな文字等の文字入力を行なうための文字キーとしての機能をそなえてもよく、又、これらの数字キーと文字キーとを別個にそなえてもよく、種々変形して実施することができる。又、例えば、タッチパネル式ディスプレイをそなえることにより、キー入力部１３と上述したディスプレイ１２とを同一のデバイスにより実現してもよい。
【００２１】
また、本実施形態においては、視聴者はこのキー入力部１３を用いて、テレビ番組の録画や視聴の予約、すなわち受信ジョブの予約（受信予約）を入力することができるようになっている。具体的には、視聴者は、ディスプレイ１２に表示される予約入力画面（図示省略）に従って、視聴もしくは録画を希望する番組についての情報（番組登録情報；例えば、番組を特定する情報（番組コード），チャンネル，開始時刻，終了時刻）や、録画や再生に関する情報（条件情報；例えば、録画品質（再生品質）や録画データの保存先）を入力するようになっており、これらの入力された情報は予約管理部２１に送信され、この予約管理部２１が予約情報１８１として記録部１８に保存するようになっている。
【００２２】
なお、この予約入力画面をディスプレイ１２に表示させるための制御（処理）は、例えば、予約管理部２１（ＣＰＵ２０）が行なうようになっている。
なお、上述した番組登録情報の登録（入力）に際しては、例えば、ディスプレイ１２に電子番組ガイド（ＥＰＧ：Electronic Program Guide）を表示させ、このＥＰＧから視聴もしくは録画を希望する番組を選択することにより行なってもよい。
【００２３】
さらに、視聴者は上述のようにして入力した予約ジョブ（受信予約）をキャンセル（解除）することもできるようになっている。この予約ジョブのキャンセルは、端末装置１０において、例えば、ディスプレイ１２に予約解除入力画面（図示省略）を表示させ、視聴者が、この予約解除入力画面においてキャンセルする予約ジョブを選択し、更に、この選択された予約ジョブのキャンセルを実行する旨の指示（解除指示）入力をキー入力部１３から行なうことにより行なわれる。すなわち、キー入力部１３が、受信予約の解除指示を入力可能な解除指示入力部として機能するのである。
【００２４】
そして、予約管理部２１は、キー入力部１３からキャンセルの入力が行なわれた予約ジョブに対応する予約情報１８１を、記録部１８から削除するようになっている。
また、視聴者は、キー入力部１３を用いて、後述する管理サーバ３０に対して、視聴者の個人情報１８２（詳細は後述）の送信を許可するか否かを設定・登録することができるようになっている。
【００２５】
具体的には、視聴者は、ディスプレイ１２に表示される個人情報送信確認設定画面（図示省略）において、キー入力部１３を用いて、個人情報１８２の送信を許可するか否かを選択的に入力することにより、個人情報１８２の送信を許可するか否かを設定・登録することができるようになっている。なお、この個人情報送信確認設定画面をディスプレイ１２に表示させるための制御（処理）は、例えば、予約管理部２１（ＣＰＵ２０）が行なうようになっている。
【００２６】
そして、この入力された個人情報１８２の送信を許可するか否かの情報（許可情報）は、後述する記憶部１８の所定の領域に、許可情報１８５として、個人情報１８２とともに記録されるようになっている。すなわち、キー入力部１３は、個人情報の送信を許可する送信許可を入力する許可入力部として機能するようになっている。
さらに、本嗜好管理システム１００においては、放送装置５０から、番組が同一であって、スポンサーが異なる、すなわち、挿入されるＣＭ（広告情報）が異なる複数種類の放送信号が配信されている場合に、これらの複数種類の放送信号のうち、視聴を希望するＣＭのスポンサーを選択することができるようになっている。
【００２７】
具体的には、視聴者は、ディスプレイ１２に表示されるスポンサー選択画面（図示省略）において、キー入力部１３を用いて、そのＣＭの視聴を希望するスポンサーを選択する入力を行なうことにより、この選択されたスポンサーを特定する情報が、対応する番組を特定情報と関係付けられて、スポンサー選択情報１８４として記録部１８に格納される。
これにより、以降、このスポンサーの選択が行なわれた番組を視聴する際には、チューナ１１が、これらの複数種類の放送信号のうち、視聴者が選択したスポンサーのＣＭが挿入された放送信号を優先的に選択して受信（選局）するのである。
【００２８】
なお、このスポンサー選択画面をディスプレイ１２に表示させるための制御（処理）は、例えば、予約管理部２１（ＣＰＵ２０）が行なうようになっている。
また、視聴者によりＣＭの視聴を希望するスポンサーの選択が行なわれている場合に、チューナ１１が、これらの複数種類の放送信号のうち、視聴者が選択したスポンサーのＣＭが挿入された放送信号を優先的に選択して受信（選局）する代わりに、チューナ１１が、これらの複数種類の放送信号を受信し、例えば、テレビ表示部２６が、これらの受信された複数種類のテレビ放送のうち、視聴者が選択したスポンサーのＣＭが挿入された放送信号を優先的に再生してもよく、本発明の趣旨を逸脱しない範囲で種々変形して実施することができる。
【００２９】
インタフェース（Ｉ／Ｆ）１６は、端末装置１０にそなえられる各部間におけるデータや制御信号の授受を制御するものであり、例えば、バス・インタフェースとして構成されている。
無線通信部１７は、端末装置１０と外部装置との間において無線通信を実現するものであり、アンテナ１１２をそなえて構成され、例えば、基地局や各種交換局，公衆電話網を介して相手先の固定電話や携帯電話に接続したり、基地局やパケットゲートウェイ等を介してインターネット（通信回線）へ接続したりするものである。
【００３０】
そして、端末装置１０は、この無線通信部１７により、インターネットを介して後述する管理サーバ３０に接続されるようになっている。
ＲＯＭ９は、後述するＣＰＵ２０が演算や制御を行なう際に用いるデータやプログラムを予め格納する記憶装置であり、ＲＡＭ８は、ＣＰＵ２０が演算や制御を行なう際に、データやプログラムを一時的に格納・展開する記憶装置である。
【００３１】
ＣＰＵ２０は、種々の演算や制御を行なうものであって、端末装置１０においては、ＣＰＵ２０が、例えば、管理プログラムを実行することにより、後述する、予約管理部２１，確認部２２，送信部２３，録画部２４，再生部２５およびテレビ表示部２６として機能するようになっている。
なお、これらの予約管理部２１，確認部２２，送信部２３，録画部２４，再生部２５およびテレビ表示部２６としての機能を実現するためのプログラム（管理プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００３２】
予約管理部２１，確認部２２，送信部２３，録画部２４，再生部２５およびテレビ表示部２６としての機能を実現する際には、内部記憶装置（本実施形態ではＲＡＭ８やＲＯＭ９）に格納されたプログラムがコンピュータのマイクロプロセッサ（本実施形態ではＣＰＵ２０）によって実行される。このとき、記録媒体に記録されたプログラムをコンピュータが読み取って実行するようにしてもよい。
【００３３】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、情報処理装置１がコンピュータとしての機能を有しているのである。
【００３４】
さらに、本実施形態における記録媒体としては、上述したフレキシブルディスク，ＣＤ，ＤＶＤ，ブルーレイディスク，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００３５】
予約管理部（予約実行部）２１は、後述する記録部１８に格納された１以上の予約情報１８１に基づいて、テレビ番組の録画や視聴の予約を管理するものであって、予約情報１８１に基づいて、テレビ番組の録画や視聴の予約を実行するようになっている。
この予約管理部２１は、予約情報１８１を管理し、この予約情報１８１に登録された開示時刻になると、その予約ジョブを実行するようになっており、予約情報１８１に登録されたチャンネルのテレビ番組の録画や再生を行なう。又、ここで、予約ジョブが録画である場合には、条件情報として登録された録画品質等で録画を行なうのである。すなわち、この予約管理部２１が、受信予約に基づいて放送信号（配信信号）の受信を行なう受信実行部として機能するのである。
【００３６】
また、予約管理部２１は、予約情報１８１の記録部１８への格納や管理を行なうようになっており、視聴者が、前述した予約入力画面（図示省略）に従って、キー入力部１３を介して入力した予約ジョブの内容（例えば、番組登録情報や条件情報）を、予約情報１８１として記録部１８に保存するようになっている。
さらに、予約管理部２１は、上述したキー入力部１３から、受信予約を解除する旨の指示（解除指示）が入力された場合に、後述する記憶部１８から、その予約ジョブに関する予約情報１８１を削除するようになっている。
【００３７】
テレビ表示部２６は、チューナ１１によって受信されたテレビ番組の表示（再生）するものであり、再生部２５は、後述する記憶部１８に格納されたテレビ番組の録画データ１８３を再生するものであり、これらの再生されるテレビ番組の映像はディスプレイ１２に表示され、又、その音声はスピーカ１４から出力されるようになっている。
録画部２４は、チューナ１１によって受信されたテレビ番組を動画像（動画）データ（映像データおよび音声データ）として記録（録画）するものであって、本実施形態においては、録画部２４は、そのテレビ番組を録画データ１８３として記憶部１８に保存するようになっている。
【００３８】
また、この録画部２４は、予約管理部２１の制御に従って録画処理を行なうようになっており、この予約管理部２１の制御に従って、予約時間（予約開始時刻）になると、所定のチャンネルのテレビ番組にかかる予約ジョブの実行を開始して録画データ１８３の記録（録画）を開始し、更に、その予約ジョブの番組の終了時刻になると、その録画を停止するようになっている。
【００３９】
そして、この録画部２４は、上述の如くチューナ１１が放送信号から取得した、その番組にかかるＳＩ情報を録画データ１８３に含めて保存してもよい。
確認部２２は、個人情報１８２の送信を許可する送信許可の有無を確認するものであって、上述したキー入力部１３によって入力され、記録部１８に格納された許可情報１８５を確認することにより、管理サーバ３０に対する個人情報１８２の送信が許可されているか否かを確認するようになっている。
【００４０】
送信部２３は、記録部１８に格納された予約情報１８１を管理サーバ３０に対して送信するものであって、上述したキー入力部１３による受信予約の入力後に、その予約情報１８１を、管理サーバ３０に対して送信するものであり、無線通信部１７やアンテナ１１２の制御を行なうことにより、端末装置１０をインターネットを介して管理サーバ３０に接続させて通信を確立し、管理サーバ３０に対するデータ通信を行なうようになっている。
【００４１】
例えば、この送信部２３は、視聴者が、前述した予約入力画面に従って、キー入力部１３を用いて番組登録情報や条件情報の入力が完了した時点、すなわち、例えば、入力完了を示すキー入力が行なわれたタイミングで、記録部１８に保存されたこれらの情報（予約情報１８１）を、管理サーバ３０に対して送信するようになっている。
また、送信部２３は、上述した確認部２２により、管理サーバ３０に対する個人情報１８２の送信が許可されていることが確認された場合に、予約情報１８１とともに個人情報１８２を管理サーバ３０に対して送信するようになっている。
【００４２】
さらに、送信部２３は、上述したキー入力部１３から解除指示が入力された際には、管理サーバ３０に対して、解除指示が入力されたことを通知する解除指示通知情報を送信するようになっており、又、上述の如く、視聴者によりキー入力部１３を介してＣＭの視聴を希望するスポンサーの選択が行なわれた場合には、送信部２３は、記録部１８に格納されたスポンサー選択情報１８４を管理サーバ３０に対して送信するようになっている。
【００４３】
なお、この解除指示通知情報としては、予約が解除された番組について、その番組を特定する情報（番組識別情報，番組名）の他、ジャンルや予約時間を管理サーバ３０に対して送信してもよい。
また、送信部２３は、上述した確認部２２により、管理サーバ３０に対する個人情報１８２の送信が許可されていることが確認された場合に、解除指示通知情報とともに個人情報１８２を管理サーバ３０に対して送信してもよい。
【００４４】
記憶部１８は、種々のデータやＯＳ（Operating System），プログラムを格納する記録装置であって、例えば、ＨＤＤ（Hard disk drive）や半導体記憶装置（メモリ）により構成されている。この記憶部１８には、図１に示すように、予約情報１８１，個人情報１８２，録画データ１８３，スポンサー選択情報１８４および許可情報１８５が格納されるようになっている。
【００４５】
予約情報１８１は、視聴者がキー入力部１３を用いて入力した、予約ジョブの内容に関する情報であって、上述の如く、例えば、チャンネル，開始時刻，終了時刻，番組を特定するための情報（例えば、Ｇコード）からなる番組登録情報と、録画品質（再生品質）や録画データの保存先からなる条件情報とをそなえて構成されている。
この予約情報１８１は、視聴者が、ディスプレイ１２に表示される予約入力画面に従って、キー入力部１３を介して入力した予約ジョブの内容（例えば、番組登録情報や条件情報）を、予約管理部２１が記録部１８に保存することによって生成される。
【００４６】
個人情報１８２は、携帯端末１０の所有者（視聴者）に関する個人的な情報であって、視聴者の特長を示す情報であり、例えば、所有者の氏名，年齢，性別，電子メールアドレス等がそなえられている。なお、この個人情報１８２としては、これらの情報の一部のみをそなえてもよく、又、血液型や職業等の上述したもの以外の情報をそなえてもよい。
すなわち、個人情報１８２としては、例えば、いわゆる市場調査において使用される種々の情報をそなえることが望ましく、本発明の趣旨を逸脱しない範囲で種々変形して実施することができる。
【００４７】
そして、記録部１８は、この個人情報１８２を格納することにより、端末装置１０の所有者に関する個人情報１８２を格納する個人情報格納部として機能するようになっている。
録画データ１８３は、チューナ１１により受信され録画部２４によって生成・保存されたテレビ番組のデータである。
【００４８】
スポンサー選択情報１８４は、ディスプレイ１２に表示されたスポンサー選択画面（図示省略）において、視聴者によりキー入力部１３を用いて選択された、そのＣＭの視聴を希望するスポンサーを示す情報である。このスポンサー選択情報１８４は、スポンサーを特定する情報（例えば、その識別記号やスポンサー名等）を、対応する番組を特定情報に関係付けることにより構成されている。
【００４９】
許可情報１８５は、管理サーバ３０に対する個人情報１８２の送信を許可するか否かを示す情報であって、例えば、記憶部１８の所定の領域に、“１（High）”もしくは“０（Low）”のフラグとして記録されている。
図２は本発明の第１実施形態としての嗜好管理システム１００の端末装置１０の記録部１８の構成例を模式的に示す図である。
【００５０】
この図２に示す例においては、記録部１８は３つの領域１８ａ，１８ｂ，１８ｃをそなえて構成されており、これらの領域１８ａ，１８ｂ，１８ｃに、それぞれ端末装置１０における用途に応じて、種々の情報格納されるようになっている。
例えば、領域１８ａには、個人情報１８２や許可情報１８５等の端末装置１０における携帯電話としての機能や通信機能に関する視聴者の情報が格納されており、領域１８ｂには、予約情報１８１や録画データ１８３，スポンサー選択情報１８４等の、テレビ番組の視聴に関する情報が格納されている。又、領域１８ｃには、端末装置１０を機能させるためのアプリケーション等が格納されている。
【００５１】
管理サーバ３０は、端末装置１０と通信回線を介して通信可能に接続され、端末装置１０から送信される予約情報１８１に基づき、番組に関する嗜好情報３６を生成するものであり、図１に示すように、通信部４１，ＣＰＵ（Central Processing Unit）３１，ＲＯＭ（Read Only Memory）３８，ＲＡＭ（Random Access Memory）３９およびＨＤＤ（Hard disk drive）３２をそなえた情報処理装置（コンピュータ，サーバコンピュータ）して構成されている。
【００５２】
また、この管理サーバ３０は、視聴者の嗜好を調査する調査機関の情報センター等に設置されている。
通信部４１は、管理サーバ３０をインターネットに通信可能に接続するものであり、例えば、ＬＡＮインタフェース等により構成されている。そして、管理サーバ３０は、この通信部４１を介してインターネットに接続されることにより、同じくインターネットに接続された１以上の端末装置１０と通信可能に接続されるのである。
【００５３】
なお、管理サーバ３０と複数の端末装置１０とを接続するための具体的な手法は既知の種々の手法を用いて実施することができ、その具体的な構成や機能の説明は省略する。
ＲＯＭ３８は、後述するＣＰＵ３１が演算や制御を行なう際に用いるデータやプログラムを予め格納する記憶装置であり、ＲＡＭ３９は、ＣＰＵ３１が演算や制御を行なう際に、データやプログラムを一時的に格納・展開する記憶装置である。
【００５４】
ＣＰＵ３１は、種々の演算や制御を行なうものであって、管理サーバ３０においては、このＣＰＵ３１が、例えば、嗜好管理プログラムを実行することにより、後述する、受信部３３および嗜好情報生成部３４として機能するようになっている。
受信部３３は、端末装置１０の送信部２３によって送信される種々の情報を受信するものであって、例えば、予約情報１８１，個人情報１８２，スポンサー選択情報１８４および許可情報１８５を受信するようになっている。
【００５５】
この受信部３３は、通信部４１を制御することにより、管理サーバ３０をインターネットに接続し、前述した複数の端末装置１０との間の通信を確立するようになっており、例えば、端末装置１０から送信される種々の情報を受信するようになっている。又、この受信部３３によって受信された情報は、ＨＤＤ３２やＲＡＭ３９等の所定の記憶領域に格納されるようになっている。
【００５６】
嗜好情報生成部３４は、端末装置１０の送信部２３から送信された予約情報１８１を集計して番組に関する嗜好情報３６を生成するものである。又、この嗜好情報生成部３４は、生成した嗜好情報３６をＨＤＤ３６に格納するようになっている。
ここで、嗜好情報３６は、視聴者の嗜好の傾向を示す情報であって、複数の端末装置１０からそれぞれ送信された予約情報１８１を集計することによって生成されるものである。例えば、嗜好情報生成部３４は、複数の端末装置１０での録画予約や視聴予約を番組毎に集計（合計）することにより、番組毎の録画予約件数や視聴予約件数を求めることができ、これらの情報を視聴者の嗜好の傾向を表わす嗜好情報３６として用いることができる。
【００５７】
なお、嗜好情報生成部３４は、嗜好情報３６として種々の情報を生成してもよく、例えば、端末装置１０から予約情報１８１とともに送信される個人情報１８２に基づき、年齢や性別，地域，職業，血液型毎で嗜好の傾向（予約傾向）を求めてもよい。
また、嗜好情報生成部３４は、番組に関して、そのジャンルや放送時間帯，放送局，出演者，スポンサー，番組紹介に含まれるキーワード毎に嗜好の傾向（予約傾向）を求めてもよい。
【００５８】
そして、これらの番組に関するジャンルや放送時間帯，放送局，出演者，スポンサー，番組紹介に含まれるキーワード等の情報は、放送装置５０等から提供されるＥＰＧやＩＥＰＧ（Internet Electronic Program Guide）から容易に取得することができ、管理サーバ３０は、これらのＥＰＧやＩＥＰＧを取得するための構成をそなえることが望ましい。
また、管理装置３０は、端末装置１０の送信部２３から送信された解除指示通知情報についても集計を行なうようになっており、嗜好情報生成部３４は、この集計結果に基づく嗜好情報３６も生成するようになっている。
【００５９】
例えば、嗜好情報生成部３４は、上述した、録画予約や視聴予約を番組毎に集計（合計）することにより求めた、番組毎の録画予約件数や視聴予約件数から、予約が解除された件数を減算することにより、嗜好情報３６の精度を向上させることができる。
また、嗜好情報生成部３４は、複数の端末装置１０から送信される解除指示通知情報を番組毎に集計（合計）することにより、番組毎の録画予約の解除件数や視聴予約の解除件数を求めることができ、これらの情報を視聴者の嗜好の傾向を表わす嗜好情報３６として用いることができる。
【００６０】
なお、嗜好情報生成部３４は、この解除指示通知情報に基づく嗜好情報３６としても、種々の情報を生成してもよく、例えば、端末装置１０から解除指示通知情報とともに送信される個人情報１８２に基づき、年齢や性別，地域，職業，血液型毎で嗜好の傾向（予約解除傾向）を求めてもよく、又、番組に関して、そのジャンルや放送時間帯，放送局，出演者，スポンサー，番組紹介に含まれるキーワード毎に嗜好の傾向（予約解除傾向）を求めてもよく、種々の情報を嗜好情報３６として用いることができる。
【００６１】
そして、嗜好情報生成部３４によって生成された嗜好情報３６は、例えば、テレビ局や番組制作会社，広告代理店等において、番組作成やＣＭ作成，各種キャンペーン等に反映させることができるのである。
上述の如く構成された、本発明の第１実施形態としての嗜好情報管理システム１００における嗜好情報の生成手法を、図３に示すフローチャート（ステップＡ１０〜Ａ５０）に従って説明する。なお、この図３に示す例においては、視聴者が予約ジョブとして、番組の録画予約を行なう場合について説明する。
【００６２】
例えば、視聴者が、端末装置１０のキー入力部１３等を操作して、番組の録画予約を行なう旨の入力を行なうと、予約管理部２１は、端末装置１０ディスプレイ１２に予約入力画面を表示させる。
視聴者は、この予約入力画面において、録画予約に必要な種々の情報（予約情報；例えば、チャンネル，開始時刻，終了時刻，録画品質）を入力する（ステップＡ１０）。そして、この予約入力画面においては、入力された予約情報で録画予約を設定してもよいか否かを確認し、視聴者がこの予約入力画面において、録画予約を行なわない旨の入力を行なった場合には（ステップＡ１０の「しない」ルート参照）、処理を終了する。
【００６３】
また、視聴者がこの予約入力画面において、録画予約を行なう旨の入力を行なった場合には（ステップＡ１０の「する」ルート参照）、予約管理部２１は、次に、ディスプレイ１２に、個人情報送信確認設定画面を表示させる。
視聴者は、この個人情報送信確認設定画面において、キー入力部１３を用いて、個人情報１８２の送信を許可するか否かを選択的に入力し、この入力された情報（許可情報）は、記憶部１８の所定の領域に、許可情報１８５として、個人情報１８２とともに記録される。
【００６４】
確認部２２は、この許可情報１８５を確認し（ステップＡ２０）、この許可情報１８５が個人情報の送信を許可するものである、すなわち、“１（High）”のフラグが設定されている場合には（ステップＡ２０の「する」ルート参照）、送信部２３は、予約情報１８１とともに個人情報１８２やスポンサー選択情報１８４を管理サーバ３０に送信し（ステップＡ３０）、管理サーバ３０において、嗜好情報生成部３４が、受信した予約情報１８１と個人情報１８２とに基づいて嗜好情報３６の生成を行なう（ステップＡ５０）。
【００６５】
一方、この許可情報１８５が個人情報の送信を許可しないものである、すなわち、“０（Low）”のフラグが設定されている場合には（ステップＡ２０の「しない」ルート参照）、送信部２３は、予約情報１８１を管理サーバ３０に送信し（ステップＡ４０）、ステップＡ５０に移行する。なお、この場合、管理サーバ３０において、嗜好情報生成部３４は、予約情報１８１に基づく嗜好情報３６の生成を行なうにとどまる。
【００６６】
次に、本発明の第１実施形態としての嗜好情報管理システム１００の端末装置１０における予約ジョブのキャンセル時の処理を、図４に示すフローチャート（ステップＢ１０〜Ｂ３０）に従って説明する。なお、この図４に示す例においては、視聴者が番組の録画予約をキャンセルする場合について説明する。
例えば、視聴者が、端末装置１０のキー入力部１３等を操作して、番組の録画予約をキャンセルする旨の入力を行なうと、予約管理部２１は、端末装置１０ディスプレイ１２に予約解除入力画面を表示させる。
【００６７】
視聴者は、この予約解除入力画面において、キャンセルする予約ジョブを選択し、更に、この選択された予約ジョブのキャンセルを実行する旨の指示（解除指示）入力をキー入力部１３から行なう。そして、予約管理部２１が、この予約解除入力画面において、録画予約を解除してもよいか否かを確認し（ステップＢ１０）、視聴者がこの予約解除入力画面において、録画予約を解除しない旨の入力を行なった場合には（ステップＢ１０の「しない」ルート参照）、録画予約の解除を行なわずに終了する。
【００６８】
また、視聴者がこの予約解除入力画面において、録画予約を解除する旨の入力を行なった場合には（ステップＢ１０の「する」ルート参照）、予約管理部２１が、対応する予約情報１８１を記憶部１８から削除するとともに、送信部２３が、管理サーバ３０に対して解除指示通知情報を送信する（ステップＢ２０）。
なお、ここで、確認部２２により、管理サーバ３０に対する個人情報１８２の送信が許可されていることを確認し、個人情報１８２の送信が許可されていることが確認された場合に、送信部２３が、解除指示通知情報とともに個人情報１８２を管理サーバ３０に対して送信してもよい。
【００６９】
そして、管理サーバ３０において、嗜好情報生成部３４が、受信した解除指示通知情報に基づいて嗜好情報３６の生成を行ない（ステップＢ３０）、処理を終了する。なお、ここで、許可情報１８５が個人情報１８２の送信を許可し、送信部２３が個人情報１８２も送信した場合には、嗜好情報生成部３４はこれらの解除指示通知情報や個人情報１８２に基づいて嗜好情報３６の生成を行なうのである。
【００７０】
このように、本発明の第１実施形態としての嗜好情報管理システム１００によれば、視聴者が端末装置１０において番組の視聴予約や録画予約を行なうと、その予約情報１８１が管理サーバ３０に送信され、嗜好情報生成部３４が、この予約情報１８１に基づき嗜好情報を生成するので、番組の放送（配信）が開始される前に、視聴者の嗜好情報を収集することができる。
【００７１】
すなわち、視聴者の嗜好を多様に取得することでき、視聴者の視聴の嗜好傾向を正確に把握することができる。
また、これにより、視聴者が望む番組やジャンル，時間帯等を、番組の放送を行なう前に予測分析し、スポンサーやテレビ局，代理店，ＣＭ制作会社等において嗜好情報を参照して、顧客ニーズに合った番組やＣＭを効率的に作成・提供することができる。
【００７２】
さらに、例えば、端末装置１０として、ワンセグ受信機能をそなえた携帯端末（携帯電話等）を用いることにより、このような端末装置を使用する多くの視聴者から簡単に嗜好情報を収集することができ、各種統計データの精度を向上させることができる。
また、端末装置１０において、予約ジョブがキャンセル（解除）された場合に、その解除指示通知情報が管理サーバ３０に送信され、嗜好情報生成部３４が、この解除指示通知情報に基づき嗜好情報を生成するので、これによっても、番組の放送（配信）が開始される前に、視聴者の嗜好情報を収集することができ、例えば、何故、予約ジョブがキャンセルされたのかを事前に調査・分析することにより、番組の視聴率を向上させるための対処を行なうことができる。
【００７３】
また、予約情報や解除指示通知情報とともに、視聴者の個人情報１８２を収集することにより、視聴者の個人情報１８１に基づく詳細な嗜好情報を生成することができ、嗜好情報の情報精度や信頼性を向上させることができる。又、この視聴者の個人情報１８２に基づいて生成された嗜好情報に基づき、番組予告やＣＭ等を適宜変更して行なうことにより、効果的に番組の視聴率を向上させるための対処を行なうことができる。
【００７４】
さらに、かかる視聴者の個人情報１８１を、視聴者の意向に沿って収集することができる。
（Ｂ）第２実施形態の説明
図５は本発明の第２実施形態としての嗜好管理システムの構成を模式的に示す図である。
【００７５】
本第２実施形態としての嗜好情報管理システム１００ａも、第１実施形態の嗜好情報管理システム１００と同様に、放送装置５０から配信されるテレビ番組（番組）についての、視聴者の嗜好情報を収集・管理するものであり、管理サーバ３０と複数の端末装置１０とをそなえて構成されている。
そして、本第２実施形態の嗜好管理システム１００ａは、第１実施形態の嗜好情報管理システム１００の機能に加えて、視聴者の予約ジョブに伴うポイント管理機能を備えている。
【００７６】
なお、図中、既述の符号と同一の符号は同一もしくは略同一の部分を示しているので、その詳細な説明は省略する。
図５に示すように、第２実施形態の嗜好情報システム１００ａは、第１実施形態の管理サーバ３０において、ＣＰＵ３１が受信部３３や嗜好情報生成部３４としての機能に加えて、ポイント管理部３５としての機能をそなえるとともに、ＨＤＤ３２において、視聴者ＤＢ３７をそなえるものであり、その他の部分は第１実施形態の嗜好情報管理システム１００と同様に構成されている。
【００７７】
ポイント管理部３５は、視聴者が行なった予約ジョブを量的に管理するものである。すなわち、ポイント管理部３５は、視聴者を管理するための視聴者データベース（ＤＢ）３７をそなえ、端末装置１０の送信部２３によって送信される予約情報１８１に基づき、視聴者毎の予約ジョブの件数をポイントとして累積して計数（管理）するようになっている。
【００７８】
視聴者ＤＢ３７は、例えば、視聴者の氏名や電話番号，性別，地域，年齢，住所，電子メールアドレス（e-mail）を管理するとともに、その予約ジョブについてのポイントを対応付けて管理するようになっている。
本嗜好情報管理システム１００においては、ポイント管理部３５は、スポンサー毎に視聴者のポイントを管理するようになっており、端末装置１０の送信部２３により、その予約情報１８１と個人情報１８２とスポンサー設定情報１８４とが管理サーバ３０に送信されると、ポイント管理部３５は、そのスポンサー設定情報１８４に登録されている番組のスポンサーにかかる、その視聴者のポイントを加算するようになっている。
【００７９】
これにより、管理サーバ３０においては、視聴者が特定のスポンサーが提供する番組の視聴を優先的に選択したことを知ることができるのである。
上述の如く構成された本発明の第２実施形態としての嗜好情報管理システム１００ａにおける、視聴者のポイント管理を行なうために予め行なう登録処理を、図６に示すフローチャート（ステップＣ１０〜Ｃ３０）に従って説明する。
【００８０】
本第２実施形態の嗜好情報管理システム１００ａにおけるポイント管理機能を実現するに際して、予め、管理サーバ３０において、視聴者ＤＢ３７に視聴者の情報を登録する。
かかる視聴者の登録（新規登録）には、先ず、端末装置１０より、ポイント管理（ポイントサービス）の申し込み処理を行なう（ステップＣ１０）。
例えば、端末装置１０とインターネットを介して通信可能に構成されたＷｅｂサーバ（図示省略）をそなえ、このＷｅｂサーバが提供するＷｅｂサイトにおいてポイントサービス申し込み画面（図示省略）を提供し、このポイントサービス申し込み画面に端末装置１０によりアクセスして、視聴者の氏名や電話番号，性別，地域，年齢，住所，電子メールアドレス（e-mail）を入力し、送信することにより、ポイントサービスの申し込み処理を行ない、これらの情報が管理サーバ３０に送信され、視聴者ＤＢ３７に登録される（ステップＣ２０）。
【００８１】
なお、この申し込み処理の手法は、上述の如きＷｅｂサーバを介して行なう手法に限定されるものではなく、本発明の趣旨を逸脱しない範囲で種々変形して実施することができる。
例えば、視聴者の氏名や電話番号，性別，地域，年齢，住所，電子メールアドレス（e-mail）を記載した電子メールを所定のメールアドレスに送信することにより、この電子メールに記載された情報を管理サーバ３０に送信し、視聴者ＤＢ３７に登録してもよく、又、端末装置１０から、送信部２３により個人情報１８２を管理サーバ３０に送信し、視聴者ＤＢ３７に登録してもよい。更に、視聴者が、上述の情報をＦＡＸや郵送で所定の送信先（情報センター）に発送し、情報センターにおいてこれらの情報を入力し、視聴者ＤＢ３７に登録してもよい。
【００８２】
そして、かかる視聴者ＤＢへの視聴者の情報の登録が完了した後には、視聴者に対して、情報センター（管理サーバ３０）から、ポイントサービスへの登録が完了した旨の通知が電子メール等により行なわれ（ステップＣ３０）、登録処理が完了する。
次に、本第２実施形態の嗜好情報管理システム１００ａにおけるポイント管理機能の利用例を、図７に示すフローチャート（ステップＤ１０〜Ｄ５０）に従って説明する。
【００８３】
端末装置１０において、番組に関する予約（予約ジョブ）を行ない、送信部２３が、予約情報１８１と個人情報１８２とを管理サーバ３０に送信する（ステップＤ１０）。
管理サーバ３０においては、個人情報１８２に基づいて視聴者ＤＢ３７を参照することにより、その視聴者の特定を行ない、その番組にかかるスポンサーに関する視聴者のポイント（ポイントデータ）に対して、予約情報１８１に基づくポイントの累計加算を行なう（ステップＤ２０）。
【００８４】
ポイント管理部３５は、視聴者のポイントを管理しており、例えば、この視聴者のポイントの累計が予め規定された所定の値に到達した（ポイントが貯まった）ことを検知するようになっている。
そして、視聴者のポイントの累計が予め規定された所定の値に到達したことをポイント管理部３５が検知した場合には、視聴者に対してそのポイントの累計値に応じた特典が付与される（ステップＤ３０）。図７に示す例においては、特典として、視聴者が予約ジョブを行なった番組のスポンサーが提供する他の有料番組を、その視聴者が無料で視聴することができるようにするものである。
【００８５】
ポイント管理部３５は、視聴者のポイントが貯まると、その視聴者に対して、「視聴可能の案内」を行なうことにより、そのスポンサーが提供する他の有料番組を、その視聴者が無料で視聴することを通知する（ステップＤ４０）。なお、この「視聴可能の案内」は、例えば、視聴者ＤＢ３７に登録された、その顧客の電子メールアドレスに対して電子メールを送信することによって行なわれる。
【００８６】
そして、「視聴可能の案内」を受信した視聴者は、そのスポンサーが提供する有料番組を無料で視聴することができるのである（ステップＤ５０）。
次に、本第２実施形態としての嗜好情報管理システム１００ａにおけるポイント管理手法を、図８に示すフローチャート（ステップＥ１０〜Ｅ５０）に従って説明する。
例えば、視聴者が、端末装置１０のキー入力部１３等を操作して、番組の録画予約を行なう旨の入力を行なうと、予約管理部２１は、端末装置１０ディスプレイ１２に予約入力画面を表示させる。
【００８７】
視聴者は、この予約入力画面において、録画予約に必要な種々の情報（予約情報；例えば、チャンネル，開始時刻，終了時刻，録画品質）を入力する。又、この際、視聴者は、ＣＭの視聴を希望するスポンサーがある場合には、ディスプレイ１２に表示されたスポンサー選択画面（図示省略）において、キー入力部１３を用いてＣＭの視聴を希望するスポンサーの選択を行なう。そして、予約管理部２１が、このスポンサー選択画面において、スポンサーの選択を行なってよいか否かを確認し（ステップＥ１０）、視聴者がこのスポンサー選択画面において、スポンサー選択を行なわない旨の入力を行なった場合には（ステップＥ１０の「しない」ルート参照）、スポンサーの選択は行なわれずに、通常の予約処理が行なわれ、図３に示したフローチャート（ステップＡ１０〜Ａ５０）にかかる処理を行ない（ステップＥ５０）、処理を終了する。
【００８８】
また、視聴者がこのスポンサー選択画面において、スポンサー選択を行なう旨の入力を行なった場合には（ステップＥ１０の「する」ルート参照）、予約管理部２１は、次に、ディスプレイ１２に、個人情報送信確認設定画面を表示させる。
視聴者は、この個人情報送信確認設定画面において、キー入力部１３を用いて、個人情報１８２の送信を許可するか否かを選択的に入力し、この入力された情報（許可情報）は、記憶部１８の所定の領域に、許可情報１８５として、個人情報１８２とともに記録される。
【００８９】
確認部２２は、この許可情報１８５を確認し（ステップＥ２０）、この許可情報１８５が個人情報の送信を許可するものである、すなわち、“１（High）”のフラグが設定されている場合には（ステップＡ２０の「する」ルート参照）、送信部２３は、予約情報１８１とともに個人情報１８２やスポンサー選択情報１８４を管理サーバ３０に送信し（ステップＥ３０）、管理サーバ３０において、嗜好情報生成部３４が、受信した予約情報１８１と個人情報１８２とに基づいて嗜好情報３６の生成を行ない、更に、その視聴者にかかるポイントの累積加算を行なう（ステップＥ４０）。
【００９０】
一方、この許可情報１８５が個人情報の送信を許可しないものである、すなわち、“０（Low）”のフラグが設定されている場合には（ステップＥ２０の「しない」ルート参照）、ステップＥ５０に移行する。なお、この場合、管理サーバ３０において、嗜好情報生成部３４は、予約情報１８１に基づく嗜好情報３６の生成を行なうにとどまる。
このように、本発明の第２実施形態としての嗜好情報管理システム１００ａによれば、上述した第１実施形態と同様の作用効果を得ることができる他、端末装置１０における視聴者によるスポンサーの選択結果をスポンサー選択情報１８４として管理装置３０にいて取得することにより、管理サーバ３０において、視聴者が特定のスポンサーが提供する番組の視聴を優先的に選択したことを知ることができ、視聴者のスポンサーに対する嗜好を容易に取得することができる。
【００９１】
また、視聴者が行なう予約ジョブをポイントとして量的に管理することにより、視聴者の嗜好傾向を量的に把握することができ、視聴者の嗜好を容易に管理することができる。
さらに、特定のスポンサーに関して、視聴者のポイントの累計が予め規定された所定の値に到達した時に、視聴者に対してそのポイントの累計値に応じた特典を付与することにより、その特定のスポンサーに対して視聴者の囲い込みを容易に行なうことができ、ＣＭ効果を増大させることができる。
【００９２】
（Ｃ）その他
上述した各実施形態において、管理サーバ３０において上述した受信部３３，嗜好情報生成部３４およびポイント管理部３５としての機能を実現するためのプログラムは、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００９３】
受信部３３，嗜好情報生成部３４およびポイント管理部３５としての機能を実現する際には、内部記憶装置（本実施形態ではＲＡＭ３９やＲＯＭ３８）に格納されたプログラムがコンピュータのマイクロプロセッサ（本実施形態ではＣＰＵ３１）によって実行される。このとき、記録媒体に記録されたプログラムをコンピュータが読み取って実行するようにしてもよい。
【００９４】
そして、本発明は上述した各実施形態に限定されるものではなく、本発明の趣旨を逸脱しない範囲で種々変形して実施することができる。
例えば、上述した各実施形態においては、端末装置１０がワンセグ受信・録画機能をそなえた携帯電話機等のテレビ番組の再生・録画機能をそなえた携帯端末である例について説明しているが、これに限定されるものではなく、例えば、端末装置１０が、視聴者の家屋等に設置される備え付け型の装置であってもよく、テレビと録画装置とを組み合わせること等により実現してもよい。
【００９５】
また、上述した各実施形態においては、端末装置１０のＣＰＵ２０が視聴管理プログラムを実行することにより、予約管理部２１，確認部２２，送信部２３，録画部２４，再生部２５およびテレビ表示部２６として機能するようになっているが、これに限定されるものではなく、これらの一部の機能を他のプログラムによって実行させてもよい。
例えば、ＣＰＵ２０がテレビ表示プログラムや動画再生プログラムを実行することにより、上述した再生部２５やテレビ表示部２６としての機能を実現させてもよく、ＣＰＵ２０が録画プログラムを実行することにより、上述した録画部２４としての機能を実現してもよく、これらのプログラムを種々組合せてＣＰＵ２０に実行させることにより、本願発明における端末装置１０としての機能を実現してもよい。そして、これらのプログラム構成とその機能については、種々変形して実施することができる。
【００９６】
同様に、上述した実施形態においては、管理サーバ３０に嗜好情報生成部３４とポイント管理部３５（視聴者ＤＢ３７）としての機能をそなえて構成しているが、これに限定されるものではなく、例えば、ポイント管理部３５および視聴者ＤＢ３７としての機能を、管理サーバ３０と通信回線を介して接続された他のサーバコンピュータにそなえてもよい。
【００９７】
また、上述した各実施形態においては、コンテンツとしてテレビ番組を配信し、端末装置１０において、チューナ１１によりこのテレビ番組を受信し、録画や視聴の予約を行なう例について説明しているが、これに限定されるものではなく、配信されるコンテンツの種類やその配信方法は種々変形して実施することができる。
例えば、端末装置１０において、チューナ１１としてラジオチューナをそなえ、ラジオ番組をコンテンツとして受信してもよく、又、端末装置１０において、インターネット上において配信される動画や音声等の種々の情報をコンテンツとして受信してもよい。なお、この場合、端末装置１０にそなえられるＬＡＮインタフェース等が配信信号受信部として機能するのである。
【００９８】
そして、本発明の各実施形態が開示されていれば、本発明を当業者によって実施・製造することが可能である。
（Ｄ）付記
（付記１）  コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信予約の入力後に該受信予約に関する情報を予約情報として送信する送信部とをそなえた端末装置と、
該端末装置と通信回線を介して通信可能に接続され、該端末装置から送信された該予約情報を受信する受信部と、当該予約情報を集計して該コンテンツに関する嗜好情報を生成する嗜好情報生成部とをそなえた管理装置とをそなえることを特徴とする、嗜好情報管理システム。
【００９９】
（付記２）  該端末装置が、
当該端末装置の所有者に関する個人情報を格納する個人情報格納部をそなえ、
該送信部が、該予約情報とともに該個人情報を送信することを特徴とする、付記１記載の嗜好情報管理システム。
（付記３）  該端末装置が、
該個人情報の送信を許可する送信許可の有無を確認する確認部をそなえ、
該送信部が、該確認部により該個人情報の送信許可があることが確認された場合に、該個人情報を送信することを特徴とする、付記２記載の嗜好情報管理システム。
【０１００】
（付記４）  該端末装置が、
該予約入力部によって入力された該受信予約の解除指示を入力可能な解除指示入力部をそなえ、
該送信部が、該解除指示入力部により該解除指示が入力された際に、該管理装置に対して、該解除指示が入力されたことを通知する解除指示通知情報を該管理装置に対して送信し、
該管理装置において、
該嗜好情報生成部が、該解除指示通知情報に基づいて該嗜好情報を生成することを特徴とする、付記１〜付記３のいずれか１項に記載の嗜好情報管理システム。
【０１０１】
（付記５）  該端末装置において、
受信する該コンテンツにかかるスポンサーを選択可能なスポンサー選択部をそなえ、
該配信信号受信部が、該配信信号の受信に際して、該スポンサー選択部によって選択された該スポンサーに関する広告情報を受信するとともに、
該送信部が、該スポンサー選択部によって選択された該スポンサーを示すスポンサー選択情報を該予約情報とともに該管理装置に送信し、
該管理装置において、
該嗜好情報生成部が、前記端末装置から送信された該スポンサー選択情報に基づいて、前記端末装置の所有者に関する、該スポンサーについての選択傾向を該嗜好情報として生成することを特徴とする、付記１〜付記４のいずれか１項に記載の嗜好情報管理システム。
【０１０２】
（付記６）  コンテンツの配信信号を受信する配信信号受信部と、該配信信号受信部による該コンテンツの受信予約を入力する予約入力部と、該予約入力部によって入力された該受信予約に基づいて該配信信号の受信を行なう受信実行部と、該予約入力部による該受信
予約の入力後に該受信予約に関する情報を予約情報として送信する送信部とをそなえた、端末装置。
【０１０３】
（付記７）  当該端末装置の所有者に関する個人情報を格納する個人情報格納部をそなえ、
該送信部が、該予約情報とともに該個人情報を送信することを特徴とする、付記６記載の端末装置。
（付記８）  該個人情報の送信を許可する送信許可の有無を確認する確認部をそなえ、
該送信部が、該確認部により該個人情報の送信許可があることが確認された場合に、該個人情報を送信することを特徴とする、付記７記載の端末装置。
【０１０４】
（付記９）  該予約入力部によって入力された該受信予約の解除指示を入力可能な解除指示入力部をそなえ、
該送信部が、該解除指示入力部により該解除指示が入力された際に、該管理装置に対して、該解除指示が入力されたことを通知する解除指示通知情報を該管理装置に対して送信することを特徴とする、付記６〜付記８のいずれか１項に記載の端末装置。
【０１０５】
（付記１０）  受信する該コンテンツにかかるスポンサーを選択可能なスポンサー選択部をそなえ、
該配信信号受信部が、該配信信号の受信に際して、該スポンサー選択部によって選択された該スポンサーに関する広告情報を受信するとともに、
該送信部が、該スポンサー選択部によって選択された該スポンサーを示すスポンサー選択情報を該予約情報とともに該管理装置に送信することを特徴とする、付記６〜付記９のいずれか１項に記載の端末装置。
【産業上の利用可能性】
【０１０６】
例えば、インターネット等の通信回線を介して配信されるコンテンツに対する嗜好情報の収集にも適用できる。
【図面の簡単な説明】
【０１０７】
【図１】本発明の第１実施形態としての嗜好管理システムの構成を模式的に示す図である。
【図２】発明の本発明の第１実施形態としての嗜好管理システムの端末装置の記録部の構成例を模式的に示す図である。
【図３】本発明の第１実施形態としての嗜好情報管理システムにおける嗜好情報の生成手法を説明するためのフローチャートである。
【図４】本発明の第１実施形態としての嗜好情報管理システムの端末装置における予約ジョブのキャンセル時の処理を説明するためのフローチャートである。
【図５】本発明の第２実施形態としての嗜好管理システムの構成を模式的に示す図である。
【図６】本発明の第２実施形態としての嗜好情報管理システムにおける、視聴者のポイント管理を行なうために予め行なう登録処理を説明するためのフローチャートである。
【図７】本発明の第２実施形態の嗜好情報管理システムにおけるポイント管理機能の利用例を説明するためのフローチャートである。
【図８】本発明の第２実施形態としての嗜好情報管理システムにおけるポイント管理手法を説明するためのフローチャートである。
【符号の説明】
【０１０８】
８，３９    ＲＡＭ
９，３８    ＲＯＭ
１０    端末装置
１１    チューナ（配信信号受信部）
１２    ディスプレイ
１３    キー入力部
１４    スピーカ
１５    マイク
１６    インターフェース（Ｉ／Ｆ）
１７    無線通信部
１８    記憶部（個人情報格納部，予約情報格納部，スポンサー選択情報格納部，許可情報格納部）
２０，３１    ＣＰＵ
２１    予約管理部
２２    確認部
２３    送信部
２４    録画部
２５    再生部
２６    テレビ表示部
３０    管理サーバ（管理装置）
３２    ＨＤＤ
３３    受信部
３４    嗜好情報生成部
３５    ポイント管理部
３６    嗜好情報
３７    視聴者ＤＢ
４１    通信部
５０    放送装置
１００，１００ａ    嗜好情報管理システム
１１１，１１２    アンテナ
１８１    予約情報
１８２    個人情報
１８３    録画データ
１８４    スポンサー選択情報
１８５    許可情報
１８ａ，１８ｂ，１８ｃ    領域
【図１】
2009218881.tif 000003
【図２】
2009218881.tif 000004
【図３】
2009218881.tif 000005
【図４】
2009218881.tif 000006
【図５】
2009218881.tif 000007
【図６】
2009218881.tif 000008
【図７】
2009218881.tif 000009
【図８】
2009218881.tif 000010